(57)【要約】【課題】移動端末に対する不正な制御を防止しつつ、他網からのＳＭＳ配信を可能とする。【解決手段】ＳＭＳサーバ１では、プッシュサーバからのプッシュ送信要求は、プッシュ要求受付部１０により受け付けられ、メッセージ生成部１６によりプッシュ送信要求に基づいて制御ＳＭＳが生成され、メッセージ送信制御部１７により制御ＳＭＳが送信先の移動端末に送信される。これにより、他網のプッシュサーバから、ＳＭＳサーバ１が属する通信網内の移動端末への制御ＳＭＳの送信が可能となる。また、プッシュ送信要求は、直接に移動端末に送信されず、プッシュ要求受付部１０により受け付けられ、さらに、移動端末に送信される制御ＳＭＳは、メッセージ生成部１６により生成されたものであるので、予期しない内容の制御ＳＭＳが移動端末に送信されることはない。従って、移動端末５に対する不正な制御が防止される。【選択図】図２
2011015195.tif 000002
【特許請求の範囲】
【請求項１】
プッシュ型メッセージを、自システムが属する通信網内の移動端末にプッシュ送信するメッセージ送信システムであって、
前記プッシュ型メッセージの送信先の前記移動端末である送信先移動端末を識別する情報を含むプッシュ送信要求を、ネットワークを介して通信可能なプッシュサーバから受け付けるプッシュ要求受付手段と、
前記プッシュ要求受付手段により受け付けられた前記プッシュ送信要求に基づいて、前記送信先移動端末を動作制御するための予め定められたメッセージを生成するメッセージ生成手段と、
前記メッセージ生成手段により生成された前記メッセージを前記送信先移動端末にプッシュ送信するメッセージ送信制御手段と
を備えることを特徴とするメッセージ送信システム。
【請求項２】
前記プッシュ送信要求には、前記移動端末の動作を制御可能な制御コードが含まれており、
前記メッセージ送信システムは、
前記制御コードのうち、前記メッセージに含ませて前記移動端末に送信することが許可されている前記制御コードを予め設定された許可制御コードとして記憶する制御コード記憶手段と、
前記プッシュ送信要求に含まれる前記制御コードが前記制御コード記憶手段に記憶されている前記許可制御コードに該当する場合に、前記送信先移動端末に対する前記メッセージの送信を許可するプッシュ要求制御手段とを備え、
前記プッシュ要求制御手段により前記メッセージの送信が許可された場合に、前記メッセージ生成手段は、前記制御コードを含む前記メッセージを生成し、前記メッセージ配信制御手段は、生成されたメッセージを前記送信先移動端末にプッシュ送信する
ことを特徴とする請求項１に記載のメッセージ送信システム。
【請求項３】
前記プッシュ送信要求には、前記移動端末の動作を制御可能な制御コードを識別するコード識別子が含まれており、
前記メッセージ送信システムは、
前記制御コードのうち、プッシュ送信される前記メッセージに含ませて前記移動端末に送信することが許可されている前記制御コードと前記コード識別子とを対応付けて記憶する制御コード記憶手段と、
前記プッシュ送信要求に含まれる前記コード識別子が、前記制御コード記憶手段に記憶されている前記コード識別子に該当する場合に、前記移動端末に対するメッセージの送信を許可すると共に、前記コード識別子に対応する前記制御コードを抽出するプッシュ要求制御手段とを備え、
前記プッシュ要求制御手段により前記メッセージの送信が許可された場合に、前記メッセージ生成手段は、前記プッシュ要求制御手段により抽出された前記制御コードを含む前記メッセージを生成し、前記メッセージ送信制御手段は、生成されたメッセージを前記送信先移動端末にプッシュ送信する
ことを特徴とする請求項１に記載のメッセージ送信システム。
【請求項４】
前記メッセージに含ませて前記移動端末に送信することが許可されている前記制御コードを前記プッシュサーバごとに記憶したプッシュサーバプロファイル記憶手段をさらに備え、
前記プッシュ要求制御手段は、前記プッシュサーバプロファイル記憶手段を参照し、前記プッシュ送信要求の送信元の前記プッシュサーバを識別する情報、及び前記プッシュ送信要求から取得又は抽出した前記制御コードに基づいて、該制御コードを含む前記メッセージの送信が許可されているか否かを判断し、
前記プッシュ要求制御手段により前記メッセージの送信が許可されていると判断された場合に、前記メッセージ生成手段は、前記プッシュ要求制御手段により抽出された前記制御コードを含む前記メッセージを生成し、前記メッセージ配信制御手段は、生成された前記メッセージを前記送信先移動端末にプッシュ送信する
ことを特徴とする請求項２または３に記載のメッセージ送信システム。
【請求項５】
前記移動端末を識別する情報に対応付けて前記制御コードの実行の可否を記憶するユーザ属性記憶手段を備え、
前記プッシュ要求制御手段は、前記ユーザ属性記憶手段を参照し、前記送信先移動端末を識別する情報、及び前記プッシュ送信要求から取得又は抽出した前記制御コードに基づいて、前記送信先移動端末において該制御コードの実行が許可されているか否かを判断し、
前記プッシュ要求制御手段により前記制御コードの実行が許可されていると判断された場合に、前記メッセージ生成手段は、前記プッシュ要求制御手段により取得または抽出された前記制御コードを含む前記メッセージを生成し、前記メッセージ配信制御手段は、生成されたメッセージを前記送信先移動端末にプッシュ送信する
ことを特徴とする請求項２〜４のいずれか１項に記載のメッセージ送信システム。
【請求項６】
前記移動端末を識別する情報に対応付けて該移動端末の機種に関する情報を対応付けて記憶するユーザプロファイル記憶手段と、
前記移動端末の機種に関する情報に対応付けて制御コードの実行の可否を記憶する端末プロファイル記憶手段とを備え、
前記プッシュ要求制御手段は、
前記ユーザプロファイル記憶手段を参照して、前記プッシュ送信要求に含まれる前記送信先移動端末を識別する情報に基づいて、前記送信先移動端末の機種に関する情報を抽出し、
前記端末プロファイル記憶手段を参照して、抽出した前記送信先移動端末の機種に関する情報、及び前記プッシュ送信要求から取得又は抽出した前記制御コードに基づいて、前記送信先移動端末において該制御コードの実行が許可されているか否かを判断し、
前記プッシュ要求制御手段により前記制御コードの実行が許可されていると判断された場合に、前記メッセージ生成手段は、前記プッシュ要求制御手段により取得または抽出された前記制御コードを含む前記メッセージを生成し、前記メッセージ配信制御手段は、生成されたメッセージを前記送信先移動端末にプッシュ送信する
ことを特徴とする請求項２〜５のいずれか１項に記載のメッセージ送信システム。
【請求項７】
一の通信網に属するメッセージ送信システムが、プッシュ型メッセージを、自システムが属する通信網内の移動端末にプッシュ送信するメッセージ送信方法であって、
前記プッシュ型メッセージの送信先の前記移動端末である送信先移動端末を識別する情報を含むプッシュ送信要求を、ネットワークを介して通信可能なプッシュサーバから受け付けるプッシュ要求受付ステップと、
前記プッシュ要求受付ステップにおいて受け付けられた前記プッシュ送信要求に基づいて、前記送信先移動端末を動作制御するための予め定められたメッセージを生成するメッセージ生成ステップと、
前記メッセージ生成ステップにおいて生成された前記メッセージを前記送信先移動端末にプッシュ送信するメッセージ送信制御ステップと
を有することを特徴とするメッセージ送信方法。
【発明の詳細な説明】
【技術分野】
【０００１】
本発明は、メッセージ送信システム及びメッセージ送信方法に関する。
【背景技術】
【０００２】
従来より、移動端末に対するメッセージの送受信の手段の一つとして、ショートメッセージサービス（以下、「ＳＭＳ」とする）が用いられている。ＳＭＳは、いわゆるプッシュ型の配信方式により移動端末に対してメッセージを配信するものであり、テキストメッセージの配信の他、電子メールの着信通知等にも用いられている。また、ＳＭＳでは、所定の制御コードをメッセージ中に記述することにより、メッセージを受信した端末の動作制御が可能である。このような制御コードを含むメッセージは制御ＳＭＳと言われる。従来におけるＳＭＳの配信システムでは、自事業者網（以下、「自網」とする）の管理下にある移動端末に対して、他事業者網（以下、「他網」とする）内のＳＭＳシステムからのＳＭＳ配信を可能とするために、自網と他網とが共通線信号網を介して接続されていた（例えば、非特許文献１参照）。
【先行技術文献】
【非特許文献】
【０００３】
【非特許文献１】3GPP TS 23.040 V7.2.0(2009-03), 3rd Generation Partnership Project;  TechnicalSpecification Group Core Network and Terminals;  Technical realization of theShort Message Service (SMS), 4.Network architecture (p31-p33),(URL:http://www.3gpp.org/ftp/Specs/Archive/23_series/23.040/23040-720.zip)
【発明の概要】
【発明が解決しようとする課題】
【０００４】
従来におけるＳＭＳの配信システムにおいて、他網から自網の移動端末に対するＳＭＳ配信を可能とするために、自網と他網とを共通線信号網を介して接続すると、他網のＳＭＳシステムから自網の交換機に対して、自網のＳＭＳシステムを介さずに直接にＳＭＳ配信が行われることとなる。このため、他網に対して開放の予定のないサービスが開放されてしまったり、メッセージ内容のチェックが不可能であることに起因して予期しない制御が行われてしまったりする。
【０００５】
そこで、本発明は、かかる問題点に鑑みてなされたものであり、移動端末に対する不正な制御を防止しつつ、他網からのＳＭＳ配信を可能とするメッセージ送信システム及びメッセージ送信方法を提供することを目的とする。
【課題を解決するための手段】
【０００６】
上記課題を解決するために、本発明のメッセージ送信システムは、プッシュ型メッセージを、自システムが属する通信網内の移動端末にプッシュ送信するメッセージ送信システムであって、プッシュ型メッセージの送信先の移動端末である送信先移動端末を識別する情報を含むプッシュ送信要求を、ネットワークを介して通信可能なプッシュサーバから受け付けるプッシュ要求受付手段と、プッシュ要求受付手段により受け付けられたプッシュ送信要求に基づいて、送信先移動端末を動作制御するための予め定められたメッセージを生成するメッセージ生成手段と、メッセージ生成手段により生成されたメッセージを送信先移動端末にプッシュ送信するメッセージ送信制御手段とを備えることを特徴とする。
【０００７】
また、上記課題を解決するために、本発明のメッセージ送信方法は、一の通信網に属するメッセージ送信システムが、プッシュ型メッセージを、自システムが属する通信網内の移動端末にプッシュ送信するメッセージ送信方法であって、プッシュ型メッセージの送信先の移動端末である送信先移動端末を識別する情報を含むプッシュ送信要求を、ネットワークを介して通信可能なプッシュサーバから受け付けるプッシュ要求受付ステップと、プッシュ要求受付ステップにおいて受け付けられたプッシュ送信要求に基づいて、送信先移動端末を動作制御するための予め定められたメッセージを生成するメッセージ生成ステップと、メッセージ生成ステップにおいて生成されたメッセージを送信先移動端末にプッシュ送信するメッセージ送信制御ステップとを有することを特徴とする。
【０００８】
本発明のメッセージ送信システム及びメッセージ送信方法では、プッシュサーバからのプッシュ送信要求は、プッシュ要求受付手段により受け付けられ、受け付けたプッシュ送信要求に基づいて移動端末の動作制御するためのメッセージであり予め定められたメッセージが生成され、生成されたメッセージが送信先移動端末に送信される。これにより、ネットワークを介して通信可能なプッシュサーバから、自装置が属する通信網内の移動端末へのメッセージの送信が可能となる。また、プッシュサーバからのプッシュ送信要求は、直接に移動端末に送信されず、プッシュ要求受付手段により受け付けられ、さらに、移動端末に送信されるメッセージは、予め定められたメッセージであり、メッセージ生成手段により生成されたものであるので、予期しない内容のメッセージが移動端末に送信されることはない。従って、移動端末に対する不正な制御が防止される。
【０００９】
また、本発明のメッセージ送信システムでは、プッシュ送信要求には、移動端末の動作を制御可能な制御コードが含まれており、メッセージ送信システムは、制御コードのうち、メッセージに含ませて移動端末に送信することが許可されている制御コードを予め設定された許可制御コードとして記憶する制御コード記憶手段と、プッシュ送信要求に含まれる制御コードが制御コード記憶手段に記憶されている許可制御コードに該当する場合に、送信先移動端末に対するメッセージの送信を許可するプッシュ要求制御手段とを備え、プッシュ要求制御手段によりメッセージの送信が許可された場合に、メッセージ生成手段は、制御コードを含むメッセージを生成し、メッセージ配信制御手段は、生成されたメッセージを送信先移動端末にプッシュ送信することを特徴とする。
【００１０】
この場合には、制御コード記憶手段に記憶されている制御コードのみがメッセージとして移動端末に送信されるので、プッシュ送信要求に含まれる制御コードのうち、移動端末に送信することが許可されていない制御コードは、メッセージに含まれて移動端末に送信されることはない。そして、移動端末に送信することが許可されている制御コードのみが、メッセージに含まれて移動端末に送信されることが可能である。従って、移動端末に対する不正な制御が確実に防止される。
【００１１】
また、本発明のメッセージ送信システムでは、プッシュ送信要求には、移動端末の動作を制御可能な制御コードを識別するコード識別子が含まれており、メッセージ送信システムは、制御コードのうち、プッシュ送信されるメッセージに含ませて移動端末に送信することが許可されている制御コードとコード識別子とを対応付けて記憶する制御コード記憶手段と、プッシュ送信要求に含まれるコード識別子が、制御コード記憶手段に記憶されているコード識別子に該当する場合に、移動端末に対するメッセージの送信を許可すると共に、コード識別子に対応する制御コードを抽出するプッシュ要求制御手段とを備え、プッシュ要求制御手段によりメッセージの送信が許可された場合に、メッセージ生成手段は、プッシュ要求制御手段により抽出された制御コードを含むメッセージを生成し、メッセージ送信制御手段は、生成されたメッセージを送信先移動端末にプッシュ送信することを特徴とする。
【００１２】
この場合において、プッシュ送信要求には、制御コードに対応付けられたコード識別子が含まれており、当該コード識別子に基づいて制御コードへの変換が行われる。そして、制御コード記憶手段に記憶されており、制御コードへの変換が可能なコード識別子に基づく制御コードのみがメッセージとして移動端末に送信される。従って、移動端末に送信することが許可されていない制御コードは、メッセージに含まれて移動端末に送信されることはなく、移動端末に送信することが許可されている制御コードのみが、メッセージに含まれて移動端末に送信されることが可能である。従って、移動端末に対する不正な制御が確実に防止される。
【００１３】
また、本発明のメッセージ送信システムでは、メッセージに含ませて移動端末に送信することが許可されている制御コードをプッシュサーバごとに記憶したプッシュサーバプロファイル記憶手段をさらに備え、プッシュ要求制御手段は、プッシュサーバプロファイル記憶手段を参照し、送信要求の送信元のプッシュサーバに関する情報、及びプッシュ送信要求から取得又は抽出した制御コードに基づいて、該制御コードを含むメッセージの送信が許可されているか否かを判断し、プッシュ要求制御手段によりメッセージの送信が許可されていると判断された場合に、メッセージ生成手段は、プッシュ要求制御手段により抽出された制御コードを含むメッセージを生成し、メッセージ配信制御手段は、生成されたメッセージを送信先移動端末にプッシュ送信することを特徴とする。
【００１４】
この場合には、メッセージに含ませて移動端末に送信することが許可されている制御コードをプッシュサーバごとに設定することができる。これにより、プッシュ送信要求の送信元のプッシュサーバごとに、送信先移動端末に対して制御することが可能な制御内容を異なるものとすることが可能となる。
【００１５】
また、本発明のメッセージ送信システムでは、移動端末を識別する情報に対応付けて制御コードの実行の可否を記憶するユーザ属性記憶手段を備え、プッシュ要求制御手段は、ユーザ属性記憶手段を参照し、送信先移動端末を識別する情報、及びプッシュ送信要求から取得又は抽出した制御コードに基づいて、送信先移動端末において該制御コードの実行が許可されているか否かを判断し、プッシュ要求制御手段により制御コードの実行が許可されていると判断された場合に、メッセージ生成手段は、プッシュ要求制御手段により取得または抽出された制御コードを含むメッセージを生成し、メッセージ配信制御手段は、生成されたメッセージを送信先移動端末にプッシュ送信することを特徴とする。
【００１６】
この場合には、メッセージに含ませて移動端末に送信することが許可されている制御コードを移動端末を識別する情報ごとに設定することができる。なお、移動端末を識別する情報は、移動端末の利用するユーザに対応する。これにより、メッセージの送信先である送信先移動端末ごとに、当該送信先移動端末に対して制御することが可能な制御内容を異なるものとすることが可能となる。
【００１７】
また、本発明のメッセージ送信装置は、移動端末を識別する情報に対応付けて移動端末の機種に関する情報を対応付けて記憶するユーザプロファイル記憶手段と、移動端末の機種に関する情報に対応付けて制御コードの実行の可否を記憶する端末プロファイル記憶手段とを備え、プッシュ要求制御手段は、ユーザプロファイル記憶手段を参照して、プッシュ送信要求に含まれる送信先移動端末を識別する情報に基づいて、送信先移動端末の機種に関する情報を抽出し、端末プロファイル記憶手段を参照して、抽出した送信先移動端末の機種に関する情報、及びプッシュ送信要求から取得又は抽出した制御コードに基づいて、送信先移動端末において該制御コードの実行が許可されているか否かを判断し、プッシュ要求制御手段により制御コードの実行が許可されていると判断された場合に、メッセージ生成手段は、プッシュ要求制御手段により取得または抽出された制御コードを含むメッセージを生成し、メッセージ配信制御手段は、生成されたメッセージを送信先移動端末にプッシュ送信することを特徴とする。
【００１８】
この場合には、メッセージに含ませて移動端末に送信することが許可されている制御コードを移動端末の機種ごとに設定することができる。これにより、メッセージの送信先である送信先移動端末の機種ごとに、当該送信先移動端末に対して制御することが可能な制御内容を異なるものとすることが可能となる。
【発明の効果】
【００１９】
本発明のメッセージ送信システム及びメッセージ送信方法によれば、ネットワークを介して通信可能なプッシュサーバから、自装置が属する通信網内の移動端末へのメッセージの送信が可能となる。また、プッシュサーバからのプッシュ送信要求は、直接に移動端末に送信されず、プッシュ要求受付手段により受け付けられ、さらに、移動端末に送信されるメッセージは、メッセージ生成手段により生成されたものであるので、予期しない内容のメッセージが移動端末に送信されることはない。従って、移動端末に対する不正な制御が防止される。
【図面の簡単な説明】
【００２０】
【図１】実施形態に係るメッセージ送信システムを含むネットワーク構成を示す図である。
【図２】メッセージ送信システムを構成するＳＭＳサーバの機能ブロック図である。
【図３】ＳＭＳサーバのハードブロック図である。
【図４】ユーザプロファイル記憶部の構成及び記憶されているデータの一例を示す図である。
【図５】制御コード記憶部の構成及び記憶されているデータの一例を示す図である。
【図６】プッシュサーバプロファイル記憶部の構成及び記憶されているデータの一例を示す図である。
【図７】ユーザ属性記憶部の構成及び記憶されているデータの一例を示す図である。
【図８】端末プロファイル記憶部の構成及び記憶されているデータの一例を示す図である。
【図９】プッシュ送信要求を変換して制御ＳＭＳを生成する例を示す図である。
【図１０】ＳＭＳサーバにおいて実施されるメッセージ送信方法の処理内容を示すフローチャートである。
【発明を実施するための形態】
【００２１】
本発明の実施形態に係るメッセージ送信システムについて図面を参照して説明する。なお、可能な場合には、同一の部分には同一の符号を付して、重複する説明を省略する。
【００２２】
図１は、実施形態に係るメッセージ送信システムを含む全体構成を示す図である。図１に示す構成には、ＳＭＳサーバ１、プッシュサーバ２Ａ〜２Ｃ、ユーザプロファイル記憶部３（ユーザプロファイル記憶手段）、交換機４及び移動端末５が含まれる。なお、図１では、１つの交換機４及び１つの移動端末５が示されているが、それぞれの数はこれに限られず、複数の交換機４及び複数の移動端末５が含まれることとしてもよい。本発明のメッセージ送信システムは、ＳＭＳサーバ１、又はＳＭＳサーバ１及びユーザプロファイル記憶部３により構成される。
【００２３】
ＳＭＳサーバ１は、プッシュ型メッセージであるＳＭＳを、自装置が属する通信網（以下、「自網」とする）内の移動端末５にプッシュ送信する装置である。なお、ここで送信されるＳＭＳのうち、移動端末５の動作制御が可能な制御コードが記述されたＳＭＳを「制御ＳＭＳ」という。また、本実施形態において、メッセージ送信制御部１７（図２参照）により移動端末５にプッシュ送信される制御ＳＭＳは、本発明における「送信先移動端末にプッシュ送信されるメッセージ」を構成する。
【００２４】
プッシュサーバ２Ａ〜２Ｃは、プッシュ型メッセージの送信要求を、自装置と通信可能な移動端末（図示せず）、メールサーバ（図示せず）等から受け付けて、当該メッセージの送信先に、プッシュ送信要求として送信する装置である。プッシュ送信要求は、例えばＰＡＰ（Ｐｕｓｈ  Ａｃｃｅｓｓ  Ｐｒｏｔｏｃｏｌ）である。また、プッシュ送信要求は、汎用のプッシュプロトコルに従ったものであってもよい。プッシュサーバ２Ａ〜２Ｃは、各々の通信網（以下、「他網」とする）に属しており、各々の他網とＳＭＳサーバ１が属する自網とは、通信可能に接続されている。本実施形態では、プッシュサーバ２Ａ〜２Ｃは、プッシュ型メッセージの送信要求を受け付けると、当該送信要求をプッシュ送信要求としてＳＭＳサーバ１に送信する。
【００２５】
ユーザプロファイル記憶部３は、移動端末５を識別する情報である「端末ＩＤ」に対応付けて移動端末５の機種に関する情報である「端末機種」を予め対応付けて記憶する記憶手段である。図４は、ユーザプロファイル記憶部３の構成及び記憶されているデータの一例を示す図である。図４に示すように、例えば、端末ＩＤ「Ｔ０１」には、端末機種「Ｆ０１」が対応づけられている。なお、端末ＩＤには、例えば当該移動端末の電話番号が用いられる。また、端末ＩＤは、個々の移動端末５を識別するものであるので、当該移動端末のユーザを識別する情報でもある。
【００２６】
交換機４は、ＳＭＳサーバ１から移動端末５に対してプッシュ送信される制御ＳＭＳ等を受信して、受信したメッセージを移動端末５に基地局（図示せず）を介してプッシュ送信する機能を有する装置である。なお、交換機４は、メッセージの送信先の移動端末の位置登録情報を、ユーザプロファイル記憶部３に記憶されている情報（図示せず）を参照して取得する。
【００２７】
図２は、ＳＭＳサーバ１の機能的構成を示すブロック図である。ＳＭＳサーバ１は、機能的には、プッシュ要求受付部１０（プッシュ要求受付手段）、プッシュ要求制御部１１（プッシュ要求制御手段）、制御コード記憶部１２（制御コード記憶手段）、プッシュサーバプロファイル記憶部１３（プッシュサーバプロファイル記憶手段）、ユーザ属性記憶部１４（ユーザ属性記憶手段）、端末プロファイル記憶部１５（端末プロファイル記憶手段）、メッセージ生成部１６（メッセージ生成手段）及びメッセージ送信制御部１７（メッセージ送信制御手段）を備える。
【００２８】
また、図３は、ＳＭＳサーバ１のハードウエア構成図である。サーバ１は、物理的には、図３に示すように、ＣＰＵ１０１、主記憶装置であるＲＡＭ１０２及びＲＯＭ１０３、ネットワークカード等のデータ送受信デバイスである通信モジュール１０４、ハードディスク、フラッシュメモリ等の補助記憶装置１０５、入力デバイスであるキーボード及びマウス等の入力装置１０６、ディスプレイ等の出力装置１０７などを含むコンピュータシステムとして構成されている。図１に示した各機能は、図２に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００２９】
なお、本実施形態では、上記の各機能部１０〜１７が、ＳＭＳサーバ１に備えられ、ユーザプロファイル記憶部３がＳＭＳサーバ１と通信可能な他のサーバ等の装置に備えられることとしているが、これらの各機能部３，１０〜１７がネットワークを介して相互に通信可能な複数のサーバに分散して構成され、本発明のメッセージ送信システムが複数のサーバにより構成されることとしても良いし、各機能部１０〜１７及びユーザプロファイル記憶部３がＳＭＳサーバ１に備えられて構成されることとしても良い。以下、図２を用いて、ＳＭＳサーバ１の各機能部について詳細に説明する。
【００３０】
プッシュ要求受付部１０は、移動端末５に対する制御ＳＭＳの送信要求であるプッシュ送信要求を、ネットワークを介して通信可能なプッシュサーバ２から受け付ける部分である。プッシュ送信要求は、当該制御ＳＭＳの送信先の移動端末５である送信先移動端末を識別する情報である端末ＩＤを含む。プッシュ要求受付部１０は、受け付けたプッシュ送信要求をプッシュ要求制御部１１に送出する。なお、プッシュ送信要求がＰＡＰである場合には、プッシュ要求受付部１０は、ＰＡＰを受け付けることが可能なインターフェースにより構成される。また、プッシュ送信要求が汎用のプッシュプロトコルであれば、プッシュ要求受付部１０は、汎用的なプッシュプロトコル用のインターフェースにより構成される。
【００３１】
ここで、図９を参照してプッシュ送信要求を説明する。図９（ａ）〜（ｃ）のプッシュ送信要求の一例に示すように、プッシュ送信要求は、概してヘッダ部とメッセージ部を有している。ヘッダ部には、プッシュ送信要求の送信元であるプッシュサーバ２を識別する情報である「サーバＩＤ」及び制御ＳＭＳの送信先である移動端末５を識別する情報である「端末ＩＤ」が含まれている。なお、制御ＳＭＳの送信先として端末ＩＤにより特定される移動端末５は、本発明における送信先移動端末を構成する。
【００３２】
また、図９（ａ）、（ｂ）のプッシュ送信要求の例では、メッセージ部は、例えば、移動端末５の動作制御が可能な制御コードを含むことができる。また、図９（ｃ）に示すプッシュ送信要求の例では、メッセージ部は、例えば、移動端末５の動作制御が可能な制御コードを識別する制御コードナンバーを含むことができる。本実施形態における「制御コードナンバー」は、本発明における「コード識別子」を構成する。
【００３３】
再び図２を参照して、プッシュ要求制御部１１は、制御コード記憶部１２を参照し、プッシュ送信要求に含まれる制御コードが制御コード記憶部１２に記憶されている制御コードに該当する場合に、送信先移動端末に対する制御ＳＭＳの送信を許可する部分である。ここで、図５を参照して制御コード記憶部１２について説明する。
【００３４】
図５は、制御コード記憶部１２の構成及び記憶されているデータの一例を示す図である。制御コード記憶部１２は、移動端末５の動作制御が可能な制御コードのうち、制御ＳＭＳに含ませて移動端末５に送信することが許可されている制御コードとして予め設定された許可制御コードを記憶する記憶手段である。
【００３５】
図５（ａ）に示すように、例えば、プッシュ送信要求に制御コード「制御Ａ」が含まれていた場合には、制御コード「制御Ａ」が、図５（ａ）に示す制御コード記憶部１２に記憶されているので、プッシュ要求制御部１１は、当該プッシュ送信要求に基づく制御ＳＭＳの送信を許可する。また、プッシュ送信要求に制御コード「制御Ｄ０」が含まれていた場合には、制御コード「制御Ｄ０」が、図５（ａ）に示す制御コード記憶部１２に記憶されているので、プッシュ要求制御部１１は、当該プッシュ送信要求に基づく制御ＳＭＳの送信を許可する。
【００３６】
また、プッシュ要求制御部１１は、プッシュ送信要求に含まれる制御コードナンバーが、制御コード記憶部１２に記憶されている制御コードナンバーに該当する場合に、移動端末５に対するメッセージの送信を許可すると共に、制御コードナンバーに対応する制御コードを抽出する部分である。この場合には、制御コード記憶部１２は、図５（ｂ）に例示されるような構成となる。制御コード記憶部１２は、制御コードのうち、プッシュ送信される制御ＳＭＳに含ませて移動端末５に送信することが許可されている制御コードとして予め設定された許可制御コードと制御コードナンバーとを対応付けて記憶している。例えば、プッシュ送信要求に制御コードナンバー「２」が含まれていた場合には、図５（ｂ）に示す制御コード記憶部１２において、制御コードナンバー「２」は制御コード「制御Ｂ」に対応する制御コードナンバーとして記憶されているので、プッシュ要求制御部１１は、当該プッシュ送信要求に基づく制御ＳＭＳの送信を許可すると共に、制御コードナンバー「２」に対応する制御コード「制御Ｂ」を抽出する。
【００３７】
また、プッシュ要求制御部１１は、プッシュサーバプロファイル記憶部１３を参照し、プッシュ送信要求の送信元のプッシュサーバを識別する情報、及びプッシュ送信要求から取得又は抽出した制御コードに基づいて、当該制御コードを含む制御ＳＭＳの送信が許可されているか否かを判断する部分でもある。ここで、図６を参照してプッシュサーバプロファイル記憶部１３について説明する。
【００３８】
図６は、プッシュサーバプロファイル記憶部１３の構成及び記憶されているデータの一例を示す図である。プッシュサーバプロファイル記憶部１３は、プッシュサーバ２を識別するサーバＩＤに対応付けて、当該プッシュサーバ２のＩＰアドレス、及び制御ＳＭＳに含ませて移動端末５に送信することの制御コード毎の可否を記憶している。図中の「○」は、当該制御コードの送信が許可されていることを示し、図中の「×」は、当該制御コードの送信が許可されていないことを示している。例えば、サーバＩＤ「Ａ」により識別されるプッシュサーバ２Ａは、制御コード「制御Ａ」〜「制御Ｆ」を制御ＳＭＳに含ませて移動端末５にプッシュ送信することが許可されている。
【００３９】
プッシュ要求制御部１１は、例えば、図９（ａ）に示すプッシュ送信要求を取得すると、ヘッダ部のサーバＩＤ「Ａ」、及びメッセージ部の制御コード「制御Ａ」を取得し、プッシュサーバプロファイル記憶部１３を参照し、サーバＩＤ「Ａ」により識別されるプッシュサーバ２Ａは、制御コード「制御Ａ」を制御ＳＭＳに含ませて移動端末５にプッシュ送信することが許可されている旨を抽出することができるので、プッシュサーバ２Ａからの制御コード「制御Ａ」を含む制御ＳＭＳのプッシュ送信を許可する。
【００４０】
また、プッシュ要求制御部１１は、ユーザ属性記憶部１４を参照し、制御ＳＭＳの送信先の移動端末５を識別する端末ＩＤ、及びプッシュ送信要求から取得又は抽出した制御コードに基づいて、送信先の移動端末５において当該制御コードの実行が許可されているか否かを判断する部分でもある。ここで、図７を参照してユーザ属性記憶部１４について説明する。
【００４１】
図７は、ユーザ属性記憶部１４の構成及び記憶されているデータの一例を示す図である。ユーザ属性記憶部１４は、図７（ａ）に示すように、移動端末５を識別する端末ＩＤに対応付けて、当該移動端末５が属するグループ、及び制御ＳＭＳに含ませて移動端末５に送信することの制御コード毎の可否を記憶している。図中の「○」は、当該制御コードの送信が許可されていることを示し、図中の「×」は、当該制御コードの送信が許可されていないことを示している。例えば、端末ＩＤ「Ｔ０１」により識別される移動端末５に対して制御コード「制御Ａ」〜「制御Ｆ」を制御ＳＭＳに含ませてプッシュ送信することは、許可されている。
【００４２】
また、図７（ｂ）に示すように、ユーザ属性記憶部１４は、端末グループに対応付けて、当該端末グループに属する移動端末５に制御コードを含む制御ＳＭＳを送信することの制御コード毎の可否を記憶していてもよい。例えば、端末ＩＤ「Ｔ０５」により識別される移動端末５は、端末グループ「Ｇ０２」に属している。端末ＩＤ「Ｔ０５」により識別される移動端末５に制御コード「制御Ｄ」を含む制御ＳＭＳをプッシュ送信することは、図７（ａ）に示すテーブルにおいては許可されていても、端末グループ「Ｇ０２」に属する移動端末５に制御コード「制御Ｄ」を含む制御ＳＭＳをプッシュ送信することは、図７（ｂ）に示すテーブルにおいては許可されていないので、結果として、端末ＩＤ「Ｔ０５」により識別される移動端末５に制御コード「制御Ｄ」を含む制御ＳＭＳをプッシュ送信することは許可されない。
【００４３】
プッシュ要求制御部１１は、例えば、図９（ａ）に示すプッシュ送信要求を取得すると、ヘッダ部の端末ＩＤ「Ｔ０１」、及びメッセージ部の制御コード「制御Ａ」を取得し、ユーザ属性記憶部１４を参照し、端末ＩＤ「Ｔ０１」に対して制御コード「制御Ａ」が含まれる制御ＳＭＳをプッシュ送信することが許可されている旨を認識することができる。従って、プッシュ要求制御部１１は、端末ＩＤ「Ｔ０１」に対して制御コード「制御Ａ」が含まれる制御ＳＭＳをプッシュ送信することを許可する。
【００４４】
また、プッシュ要求制御部１１は、ユーザプロファイル記憶部３を参照して、プッシュ送信要求に含まれる送信先の移動端末５を識別する端末ＩＤに基づいて、当該移動端末５の機種に関する情報を抽出し、端末プロファイル記憶部１５を参照して、抽出した当該移動端末５の機種に関する情報、及びプッシュ送信要求から取得又は抽出した制御コードに基づいて、当該移動端末５において当該制御コードの実行が許可されているか否かを判断する部分でもある。ここで、図８を参照して端末プロファイル記憶部１５について説明する。
【００４５】
図８は、端末プロファイル記憶部１５の構成及び記憶されているデータの一例を示す図である。端末プロファイル記憶部１５は、図８に示すように、端末機種に対応付けて、制御ＳＭＳに含ませて移動端末５に送信することの制御コード毎の可否を記憶している。図中の「○」は、当該制御コードの送信が許可されていることを示し、図中の「×」は、当該制御コードの送信が許可されていないことを示している。例えば、端末機種「Ｆ０１」である移動端末５に対して制御コード「制御Ａ」〜「制御Ｆ」を制御ＳＭＳに含ませてプッシュ送信することは、許可されている。
【００４６】
プッシュ要求制御部１１は、例えば、図９（ａ）に示すプッシュ送信要求を取得すると、ヘッダ部の端末ＩＤ「Ｔ０１」、及びメッセージ部の制御コード「制御Ａ」を取得し、ユーザプロファイル記憶部３を参照して、端末ＩＤ「Ｔ０１」は端末機種「Ｆ０１」であることを取得する。そして、端末プロファイル記憶部１５を参照して、端末機種「Ｆ０１」において制御コード「制御Ａ」の実行が許可されていることを取得する。従って、プッシュ要求制御部１１は、端末機種「Ｆ０１」であり端末ＩＤ「Ｔ０１」により識別される移動端末５において制御コード「制御Ａ」の実行が許可されていることを判断する。
【００４７】
プッシュ要求制御部１１は、プッシュ送信要求に含まれる制御コードを含む制御ＳＭＳのプッシュ送信が許可されているか否か、プッシュ送信要求の送信元のプッシュサーバ２に対して当該制御コードを制御ＳＭＳとして移動端末５に送信することが許可されているか否か、及び送信先の移動端末５において当該制御コードの実行が許可されているか否か、を判断し、全て許可されていると判断した場合に、メッセージ生成部１６に制御ＳＭＳのプッシュ送信が許可されている旨を通知する。
【００４８】
メッセージ生成部１６は、プッシュ要求制御部１１から制御ＳＭＳのプッシュ送信が許可されている旨の通知を取得すると、プッシュ送信要求に基づいて制御ＳＭＳを生成する部分である。図９（ａ）〜（ｃ）は、プッシュ送信要求に基づく制御ＳＭＳの生成の例を示した図である。
【００４９】
図９（ａ）に示す例では、プッシュ送信要求のヘッダ部は他網における通信の方式に従ったものであるので、メッセージ生成部１６は、プッシュ送信要求のヘッダ部を自網における通信の方式に従った形式に変換して、制御ＳＭＳにおけるヘッダ部を生成する。また、メッセージ生成部１６は、プッシュ送信要求のメッセージ部に含まれる制御コード「制御Ａ」を取得し、図５（ａ）に示す制御コード記憶部１２を参照して、項目「制御コード（プッシュ送信要求）」の「制御Ａ」に対応付けられている項目「制御コード（制御ＳＭＳ）」の「制御Ａ」を抽出し、抽出した制御コード「制御Ａ」を制御ＳＭＳのメッセージ部に記述する。
【００５０】
図９（ｂ）に示す例では、まず、メッセージ生成部１６は、図９（ａ）に示す例と同様に、制御ＳＭＳにおけるヘッダ部を生成する。また、メッセージ生成部１６は、プッシュ送信要求のメッセージ部に含まれる制御コード「制御Ｄ０」を取得し、図５（ａ）に示す制御コード記憶部１２を参照して、項目「制御コード（プッシュ送信要求）」の「制御Ｄ０」に対応付けられている項目「制御コード（制御ＳＭＳ）」の「制御Ｄ」を抽出し、抽出した制御コード「制御Ｄ」を制御ＳＭＳのメッセージ部に記述する。
【００５１】
図９（ｃ）に示す例では、まず、メッセージ生成部１６は、図９（ａ）に示す例と同様に、制御ＳＭＳにおけるヘッダ部を生成する。また、メッセージ生成部１６は、プッシュ送信要求のメッセージ部に含まれる制御コードナンバー「２」を取得し、図５（ｂ）に示す制御コード記憶部１２を参照して、項目「制御コードナンバー（プッシュ送信要求）」の「２」に対応付けられている項目「制御コード（制御ＳＭＳ）」の「制御Ｂ」を抽出し、抽出した制御コード「制御Ｂ」を制御ＳＭＳのメッセージ部に記述する。
【００５２】
図９（ａ）〜（ｃ）の例を用いて説明したように、メッセージ生成部１６は、プッシュ送信要求に含まれる制御コードと同じ制御コードを制御ＳＭＳの制御コードとして記述することができる。また、メッセージ生成部１６は、プッシュ送信要求に含まれる制御コードから変換して生成した制御コードを制御ＳＭＳの制御コードとして記述することができる。さらに、メッセージ生成部１６は、プッシュ送信要求に含まれる制御コードナンバーから変換して生成した制御コードを制御ＳＭＳの制御コードとして記述することができる。上記のいずれの場合であっても、制御コード記憶部１２の項目「制御コード（制御ＳＭＳ）」に記憶されている制御コードのみが、制御ＳＭＳに記述される制御コードとして用いられることができる。従って、予め制御コード記憶部１２に設定された制御コード以外の制御コードが移動端末５に送信されることはないので、移動端末５に対する不正な制御が防止される。
【００５３】
メッセージ送信制御部１７は、メッセージ生成部１６により生成された制御ＳＭＳを送信先の移動端末５にプッシュ送信する部分である。また、メッセージ送信制御部１７は、制御ＳＭＳを移動端末５にプッシュ送信した場合に、当該制御ＳＭＳの基となったプッシュ送信要求の送信元のプッシュサーバ２に、制御ＳＭＳ送達確認通知を送信し、制御ＳＭＳを移動端末５に送信しなかった場合には、プッシュサーバ２に制御ＳＭＳ送達不可通知を送信する。
【００５４】
続いて、図１０を用いて、本実施形態のメッセージ送信方法におけるＳＭＳサーバ１の動作について説明する。図１０は、ＳＭＳサーバ１において行われるメッセージ送信方法の処理内容を示すフローチャートである。
【００５５】
まず、ステップＳ１において、プッシュ要求受付部１０は、プッシュ送信要求を、プッシュサーバ２から受信する。さらに、プッシュ要求受付部１０は、受け付けたプッシュ送信要求をプッシュ要求制御部１１に送出する。
【００５６】
次に、ステップＳ２において、プッシュ要求制御部１１は、プッシュ送信要求から制御コード又は制御コードナンバーを取得する。続いて、プッシュ要求制御部１１は、取得した制御コード又は制御コードナンバーが制御コード記憶部１２に記憶されているか否かを判定する。取得した制御コード又は制御コードナンバーが制御コード記憶部１２に記憶されている場合には、処理手順はステップＳ５に進められる（Ｓ４）。取得した制御コード又は制御コードナンバーが制御コード記憶部１２に記憶されていない場合には、処理手順はステップＳ１４に進められる（Ｓ４）。これにより、プッシュ送信要求に含まれる制御コードであっても、予め制御コード記憶部１２に設定された制御コード以外の制御コードが制御ＳＭＳに含まれて移動端末５に送信されることはない。従って、移動端末５に対する不正な制御が防止される。
【００５７】
次に、ステップＳ５において、プッシュ要求制御部１１は、プッシュサーバプロファイル記憶部１３を参照し（図６）、制御ＳＭＳの送信可否を判定する。具体的には、プッシュ要求制御部１１は、プッシュ送信要求の送信元のプッシュサーバ２を識別するサーバＩＤ、及びプッシュ送信要求から取得した制御コードに基づいて、当該制御コードを含む制御ＳＭＳの送信が許可されているか否かを判断する。例えば、サーバＩＤが「Ａ」であり、制御コードが「制御Ａ」である場合には、プッシュ要求制御部１１は、制御ＳＭＳの送信を許可する。プッシュ要求制御部１１が制御ＳＭＳの送信を許可した場合には、処理手順はステップＳ７に進められ（Ｓ６）、プッシュ要求制御部１１が制御ＳＭＳの送信を許可しなかった場合には、処理手順はステップＳ１４に進められる（Ｓ６）。これにより、プッシュ送信要求の送信元のプッシュサーバ２ごとに、送信先の移動端末５に対して制御することが可能な制御内容を異なるものとすることが可能となる。
【００５８】
次に、ステップＳ７において、プッシュ要求制御部１１は、ユーザプロファイル記憶部３（図４）及び端末プロファイル記憶部１５（図７）を参照し、制御ＳＭＳの送信可否を判定する。具体的には、プッシュ要求制御部１１は、プッシュ送信要求の送信先の移動端末５を識別する端末ＩＤに基づいて、ユーザプロファイル記憶部３を参照し、当該端末ＩＤが識別する移動端末５の機種を取得する。例えば、端末ＩＤが「Ｔ０１」である場合には、プッシュ要求制御部１１は、端末機種として「Ｆ０１」を取得する（図４）。
【００５９】
そして、プッシュ要求制御部１１は、移動端末５の端末機種、及びプッシュ送信要求から取得した制御コードに基づいて、当該制御コードを含む制御ＳＭＳの当該移動端末５の機種に対する送信が許可されているか否かを判断する。例えば、端末機種が「Ｆ０１」であり、制御コードが「制御Ａ」である場合には、プッシュ要求制御部１１は、制御ＳＭＳの送信を許可する。プッシュ要求制御部１１が制御ＳＭＳの送信を許可した場合には、処理手順はステップＳ９に進められ（Ｓ８）、プッシュ要求制御部１１が制御ＳＭＳの送信を許可しなかった場合には、処理手順はステップＳ１４に進められる（Ｓ８）。これにより、制御ＳＭＳの送信先である移動端末５の機種ごとに制御可能な内容を異なるものとすることが可能となる。
【００６０】
次に、ステップＳ９において、プッシュ要求制御部１１は、ユーザ属性記憶部１４（図７）を参照し、制御ＳＭＳの送信可否を判定する。具体的には、プッシュ要求制御部１１は、プッシュ送信要求の送信先の移動端末５を識別する端末ＩＤ、及びプッシュ送信要求から取得した制御コードに基づいて、ユーザ属性記憶部１４（図７（ａ））を参照し、当該制御コードを含む制御ＳＭＳの当該移動端末５に対する送信が許可されているか否かを判断する。例えば、端末ＩＤが「Ｔ０１」であり、制御コードが「制御Ａ」である場合には、プッシュ要求制御部１１は、制御ＳＭＳの送信を許可する。
【００６１】
さらに、ユーザ属性記憶部１４が、端末グループに対応付けて、当該端末グループに属する移動端末５に制御コードを含む制御ＳＭＳを送信することの制御コード毎の可否を記憶している場合には（図７（ｂ））、プッシュ要求制御部１１は、プッシュ送信要求の送信先の端末ＩＤが属する端末グループ、及びプッシュ送信要求から取得した制御コードに基づいて、ユーザ属性記憶部１４（図７（ｂ））を参照し、当該制御コードを含む制御ＳＭＳの当該移動端末５が属するグループに対する送信が許可されているか否かを併せて判断する。例えば、端末ＩＤが「Ｔ０１」である場合には、端末グループは「Ｇ０１」であるので、制御コード「制御Ａ」を含む制御ＳＭＳの送信は、許可される。プッシュ要求制御部１１が制御ＳＭＳの送信を許可した場合には、処理手順はステップＳ１１に進められ（Ｓ１０）、プッシュ要求制御部１１が制御ＳＭＳの送信を許可しなかった場合には、処理手順はステップＳ１４に進められる（Ｓ１０）。これにより、制御ＳＭＳの送信先である移動端末５ごとに、当該移動端末５に対して制御することが可能な制御内容を異なるものとすることが可能となる。
【００６２】
続くステップＳ１１において、メッセージ生成部１６は、プッシュ送信要求に基づいて制御ＳＭＳを生成し、生成した制御ＳＭＳをメッセージ送信制御部１７に送出する。そして、ステップＳ１２において、メッセージ送信制御部１７は、メッセージ生成部１６から送出された制御ＳＭＳを、送信先の移動端末５にプッシュ送信する。
【００６３】
最後に、ステップＳ１３において、メッセージ送信制御部１７は、当該制御ＳＭＳの基となったプッシュ送信要求の送信元のプッシュサーバ２に、制御ＳＭＳ送達確認通知を送信する。一方、ステップＳ１４において、制御ＳＭＳを移動端末５に送信しなかった場合には、メッセージ送信制御部１７は、当該制御ＳＭＳの基となったプッシュ送信要求の送信元のプッシュサーバ２に、制御ＳＭＳ送達不可通知を送信する。
【００６４】
なお、以上説明した本実施形態のメッセージ送信方法において、第１の制御ＳＭＳ送信可否判定としてステップＳ３，Ｓ４に示す処理を実施し、第２の制御ＳＭＳ送信可否判定としてステップＳ５，Ｓ６に示す処理を実施し、第３の制御ＳＭＳ送信可否判定としてステップＳ７，Ｓ８に示す処理を実施し、第４の制御ＳＭＳ送信可否判定としてステップＳ９，Ｓ１０に示す処理を実施しているが、第１〜第４の制御ＳＭＳ送信可否判定の全ての処理を実施しなくてもよい。例えば、第１の制御ＳＭＳ送信可否判定のみ実施することとしてステップＳ５〜Ｓ１０に示す処理を省略してもよい。また、第１の制御ＳＭＳ送信可否判定に加えて、第２〜第４の制御ＳＭＳ送信可否判定のうち一または複数の判定処理を実施することとしてもよい。
【００６５】
続いて、以上説明したメッセージ送信システム及びメッセージ送信方法の作用効果について説明する。本実施形態のメッセージ送信システム及びメッセージ送信方法では、プッシュサーバ２からのプッシュ送信要求は、プッシュ要求受付部１０により受け付けられ、メッセージ生成部１６によりプッシュ送信要求に基づいて制御ＳＭＳが生成され、メッセージ送信制御部１７により制御ＳＭＳが送信先の移動端末５に送信される。これにより、ＳＭＳサーバ１とネットワークを介して通信可能なプッシュサーバ２から、ＳＭＳサーバ１が属する通信網内の移動端末５への制御ＳＭＳの送信が可能となる。また、プッシュサーバ２からのプッシュ送信要求は、直接に移動端末５に送信されず、プッシュ要求受付部１０により受け付けられ、さらに、移動端末５に送信される制御ＳＭＳは、メッセージ生成部１６により生成されたものであるので、予期しない内容の制御ＳＭＳが移動端末５に送信されることはない。従って、移動端末５に対する不正な制御が防止される。
【符号の説明】
【００６６】
１…ＳＭＳサーバ、２…プッシュサーバ、３…ユーザプロファイル記憶部、４…交換機、５…移動端末、１０…プッシュ要求受付部、１１…プッシュ要求制御部、１２…制御コード記憶部、１３…プッシュサーバプロファイル記憶部、１４…ユーザ属性記憶部、１５…端末プロファイル記憶部、１６…メッセージ生成部、１７…メッセージ送信制御部。
【図１】
2011015195.tif 000003
【図２】
2011015195.tif 000004
【図３】
2011015195.tif 000005
【図４】
2011015195.tif 000006
【図５】
2011015195.tif 000007
【図６】
2011015195.tif 000008
【図７】
2011015195.tif 000009
【図８】
2011015195.tif 000010
【図９】
2011015195.tif 000011
【図１０】
2011015195.tif 000012